(57)【要約】  本発明は、温水用安全水栓に係り、より詳しくは、レバーの前方に前後方向にスライディング移動する安全ボタンを備え、安全ボタンを押した時、下端のキャップ接触部が上部キャップの上面に対して支点を形成しながら回転するようにし、作動軸の上端に形成された挿入溝を貫く固定ピンをレバーのボディに一緒に固定させることで、レバーが左右に搖れないようにする温水用安全水栓に関する。本発明によれば、レバーを左右に揺すり過ぎても安全ボタンが上部キャップの上面と支点を形成しないため、意図せずに温水が排出される事故を防止することができる効果がある。
2019515213.tif 000002
【特許請求の範囲】
【請求項１】
温水排出側に設けられて選択的に温水排出経路を閉めたり開いたりする安全水栓であって、
内部に温水排出経路が形成される排出管２０２と；
前記排出管２０２の内部で上下に動きながら前記温水排出経路を閉めたり開くパッキング２０６と；
前記パッキング２０６に固定され、上端に左右側に挿入溝２１２が貫いて形成される作動軸２０８と；
前記排出管２０２の上部開口部を防いで、中には前記作動軸２０８の上端を露出させる上部キャップ貫通孔２１６ａが形成される上部キャップ２１６と；
前記作動軸２０８の上端と回転できるように結合されるレバー２２２と；
前記レバー２２２の前方に前記レバー２２２に対して前後方向にスライディング移動できるように結合され、下端には前記上部キャップ２１６の上面と会って支点を形成するキャップ接触部２１８ａが突出形成される安全ボタン２１８と；
前記レバー２２２に形成された係止溝２２２ａに嵌め込まれて固定される係止突起２２６ｂと、前記作動軸２０８の上端に形成された挿入溝２１２を貫いて固定されるピン２２６ｃが連結部２２６ａの一側に形成される固定ピン２２６；を含み、
前記固定ピン２２６によって前記レバー２２２と前記作動軸２０８は回転できるように結合されることを特徴とする、温水用安全水栓。
【請求項２】
前記安全ボタン２１８の下端に設けられ、前記安全ボタンスプリング２２４の離脱を防止するカバー２２０；をさらに含む、請求項１に記載の温水用安全水栓。
【請求項３】
前記レバー２２２の下端と前記上部キャップ２１６の上面は、相互安全距離の分離隔され、前記レバー２２２を上に持ち上げて回転させる時、前記レバー２２２の後面部の端が前記作動軸２０８の上端と接触することを特徴とする、請求項１に記載の温水用安全水栓。
【発明の詳細な説明】
【技術分野】
【０００１】
本発明は、温水用安全水栓に係り、より詳しくは、レバーの前方に前後方向にスライディング移動する安全ボタンを備え、安全ボタンを押した時、下端のキャップ接触部が上部キャップの上面に対して支点を形成して回転するようにし、作動軸の上端に形成された挿入溝を貫く固定ピンをレバーのボディに一緒に固定させることで、レバーが左右に搖れないようにする温水用安全水栓に関する。
【背景技術】
【０００２】
冷温浄水器や冷温水器の温水排出口には、お湯の排出によってやけどすることを防止するために、安全装置が備えられる。
【０００３】
通常的には、使用者がボタンや回転部材などの安全部材を押した状態で温水排出用レバーを押さないと温水が出ない方式を用いる。安全部材は、レバーを押す時に、てこの役割をするための支点の位置を変更することで温水の排出を調整することができる。
【０００４】
図１は、従来技術による安全水栓の構造を示した斜視図で、図２は、図１の安全水栓の内部構成を示した断面図で、図３は、図１の安全水栓の構成品を示した分解図である。
【０００５】
従来技術の安全水栓１０は、入水口１８と出水口２０が形成されたボディ１２の内部で、上下方向に動きながら出水経路を防いだり開くバルブエレメント３０と、バルブエレメント３０と結合されて一緒に動く作動軸４０と、作動軸４０の動きを復元するスプリング５２と、レバーの動きを最小化するインサートメンバー９４と、ボディ１２の上部開口部を密閉させるボンネット３８と、てこ原理によって作動軸４０を上下に動かすハンドルアセンブリー１６で構成される。
【０００６】
作動軸４０の上端には、左右方向に溝７１が形成され、溝７１にはハンドルアセンブリーのレッグ６１ａ、６２ａが回転できるように結合される。レッグ６１ａ、６２ａの下端部の左右方向で内側へ突出形成されたピボットピン６６が溝７１の左右側に嵌め込まれ、レバーボディ６４と作動軸４０が結合される。
【０００７】
使用者は、カムアクチュエータ６８を押して、カム表面７６がボンネット３８の上面に上がるようにする。そして、レバーボディ６４を下方に押せば、カム表面７６がボンネット３８の上面と接触して支点を形成し、支点を中心にしてレバーボディ６４が回転しながら反対側のレッグ６１ａ、６２ａが上に上がる。その力によって、作動軸４０が上がるにつれ、バルブエレメント３０も一緒に上がる。出水経路を防いでいたバルブエレメント３０が上がれば、入水口１８から出水口２０へと温水が流れ出るようになる。
【０００８】
しかし、このような構造では、作動軸４０に形成された溝７１に、左右側でピボットピン６６が挿入されて固定されるため、レバーボディ６４と作動軸４０の結合が堅固でなくなる。もし、使用者がレバーボディ６４を正面で左右に揺すると、ピボットピン６６を中心にして左右に振動が生じる。そして、レバーボディ６４を左右に揺すり過ぎると、レッグ６１ａ、６２ａとボンネット３８の接触によって温水が排出される事故が発生することがある。
【０００９】
このような問題を解決するために、従来技術では作動軸４０を包む堅固な材質のインサートメンバー９４を使用する。インサートメンバー９４によってレッグ６１ａ、６２ａの左右のずれと、レバーを上に上げた時、動きを最小化する効果があるが、このような構成の追加によって安全水栓の構造が複雑となり、製作コストが上昇し、異物がインサートメンバー９４に挟まる問題があった。
【００１０】
また、カムアクチュエータ６８の復元のために使われる、スプリング７８が設けられた領域の底面が開放されていて、スプリング７８が離脱してカップに落ちる問題があった。
【発明の概要】
【発明が解決しようとする課題】
【００１１】
前述した問題点を解決するための本発明は、作動軸の上端に比較的に長めな挿入溝を形成し、固定ピンの上端と下端に係止突起とピンをそれぞれ形成し、係止突起とピンがレバーの側面に嵌め込まれて固定されるようにすることで、レバーが作動軸に対して左右に搖れないようにする温水用安全水栓を提供することを目的とする。
【課題を解決するための手段】
【００１２】
前述の問題点を解決するために案出された本発明は、温水排出側に設けられて選択的に温水排出経路を閉めたり開いたりする安全水栓であって、内部に温水排出経路が形成される排出管２０２と；前記排出管２０２の内部で上下に動きながら前記温水排出経路を閉めたり開くパッキング２０６と；前記パッキング２０６に固定され、上端に左右側に挿入溝２１２が貫いて形成される作動軸２０８と；前記排出管２０２の上部開口部を防いで、中には前記作動軸２０８の上端を露出させる上部キャップ貫通孔２１６ａが形成される上部キャップ２１６と；前記作動軸２０８の上端と回転できるように結合されるレバー２２２と；前記レバー２２２の前方に前記レバー２２２に対して前後方向にスライディング移動できるように結合され、下端には前記上部キャップ２１６の上面と会って支点を形成するキャップ接触部２１８ａが突出形成される安全ボタン２１８と；前記レバー２２２に形成された係止溝２２２ａに嵌め込まれて固定される係止突起２２６ｂと、前記作動軸２０８の上端に形成された挿入溝２１２を貫いて固定されるピン２２６ｃが連結部２２６ａの一側に形成される固定ピン２２６；を含み、前記固定ピン２２６によって前記レバー２２２と前記作動軸２０８は回転できるように結合されることを特徴とする。
【００１３】
前記安全ボタン２１８の下端に設けられ、前記安全ボタンスプリング２２４の離脱を防止するカバー２２０；をさらに含む。
【００１４】
前記レバー２２２の下端と前記上部キャップ２１６の上面は、相互安全距離の分離隔され、前記レバー２２２を上に持ち上げて回転させる時、前記レバー２２２の後面部の端が前記作動軸２０８の上端と接触することを特徴とする。
【発明の効果】
【００１５】
本発明によれば、レバーを左右に揺すり過ぎても、安全ボタンが上部キャップの上面と支点を形成しないので、意図せずに温水が排出される事故を防止することができる効果がある。
【図面の簡単な説明】
【００１６】
【図１】従来技術による安全水栓の構造を示した斜視図。
【図２】図１の安全水栓の内部構成を示した断面図。
【図３】図１の安全水栓の構成品を示した分解図。
【図４】本発明の実施例による安全水栓の構造を示した斜視図。
【図５】図４の安全水栓の構成を示した分解斜視図。
【図６】レバーと固定ピンの結合関係を示した断面図。
【図７】レバーと固定ピンが結合された状態を示した断面図。
【図８】安全ボタンとレバーの結合関係を示した断面図。
【図９】安全ボタンを押さないでレバーを押した時の動作を示した断面図。
【図１０】安全ボタンを押しながらレバーを押した時の動作を示した断面図。
【図１１】レバーの左右動作を示した正面図。
【図１２】レバーを上に上げた時の動作を示した断面図。
【発明を実施するための形態】
【００１７】
以下、図面を参照して本発明の実施例による「温水用安全水栓」（以下「安全水栓」という）を説明する。
【００１８】
図４は、本発明の実施例による安全水栓の構造を示した斜視図で、図５は、図４の安全水栓の構成を示した分解斜視図で、図６は、レバーと固定ピンの結合関係を示した断面図で、図７は、レバーと固定ピンが結合された状態を示した断面図である。
【００１９】
本発明の安全水栓２００は、冷温水器や冷温浄水器の温水排出側に設けられ、使用者が安全ボタン２１８を押したままレバー２２２を押せば、温水排出経路が開きながら温水が排出される構造を有する。
【００２０】
温水が排出される排出管２０２は、通常的に垂直方向に立っている円筒状であり、内部にはパッキング２０６が挿入される。パッキング２０６は、温水誘導管２０４と排出管２０２の間の温水排出経路を防いだり開く役割をする。
【００２１】
パッキング２０６は、レバー２２２の動作によって上下に動くが、パッキング２０６は排出管２０２の内部に挿入された作動軸２０８と一緒に上下に動く。作動軸２０８の下端は、パッキング２０６の内部に挿入され、作動軸２０８の下端にはパッキング係止部２１０が突出形成され、パッキング２０６の内部に無理やり嵌め込まれる形で固定される。
【００２２】
作動軸２０８の上端には、左右側に挿入溝２１２が貫通して形成され、挿入溝２１２には固定ピン２２６の下端に突出形成されたピン２２６ｃが貫いて嵌め込まれる。レバー２２２の下側に突出された部分に、左右方向に形成されたピン貫通孔２２２ｂに嵌め込まれるピン２２６ｃは、作動軸２０８の上端に形成された挿入溝２１２を同時に貫く。これにより、レバー２２２と作動軸２０８が結合され、レバー２２２を押せば、てこ作用によって作動軸２０８が上下に動くことができる。
【００２３】
作動軸スプリング２１４は、作動軸２０８を包みながら上部キャップ２１６とパッキング２０６の間に設けられ、作動軸スプリング２１４の弾性力によってパッキング２０６は上部キャップ２１６の反対方向へと押し寄せながら排出管２０２を防ぐようになる。
【００２４】
上部キャップ２１６は、排出管２０２の上部開口部を防ぐ手段であって、中に形成された上部キャップ貫通孔２１６ａを通して作動軸２０８の上端を外側へ露出させる。上部キャップ２１６の外側に露出された作動軸２０８の上端がレバー２２２と回転できるように結合される。
【００２５】
安全ボタン２１８とレバー２２２は、相互結合されて使用者が手で押せるようにする。使用者が安全ボタン２１８を押したままレバー２２２を同時に押せば、温水が排出される。
【００２６】
安全ボタン２１８はレバー２２２の前方に設けられ、レバー２２２に対して前後方向にスライディング移動できるように設けられる。安全ボタン２１８とレバー２２２が結合される部分には、レールやガイドなどが形成されてもよい。
【００２７】
安全ボタン２１８の下端にはカバー２２０が設けられる。カバー２２０は、安全ボタン２１８の内部に設けられる安全ボタンスプリング２２４が外部へ離脱しないように防ぐ。
【００２８】
安全ボタン２１８とレバー２２２は、前後方向に移動できるように結合され、レバー２２２が作動軸２０８に結合され、その場に固定されるので、前方の安全ボタン２１８が前後方向に動くようになる。
【００２９】
安全ボタン２１８とレバー２２２の間には安全ボタンスプリング２２４が介在され、安全ボタンスプリング２２４の弾性力によって、安全ボタン２１８がレバー２２２から離れる方向、すなわち前方へ動くようになる。
【００３０】
安全ボタン２１８の下端には、キャップ接触部２１８ａが突出形成される。キャップ接触部２１８ａは、上部キャップ２１６の上面と接触する部分であって、キャップ接触部２１８ａと上部キャップ２１６の上面が、てこ作用の支点になってレバー２２２が作動軸２０８を引き上げることができる。
【００３１】
キャップ接触部２１８ａは、使用者が安全ボタン２１８を押さない状態では、上部キャップ２１６の上面から垂直方向に延伸した仮想の面の外側に位置させる。そして、使用者が安全ボタン２１８を押せば、キャップ接触部２１８ａが後方へ移動し、キャップ接触部２１８ａが仮想の面の内側に位置する。これにより、上部キャップ２１６に支点が形成される。
【００３２】
レバー２２２は、作動軸２０８の上端に回転できるように繋がる。レバー２２２は、作動軸２０８と結合された点を軸にして、一定範囲内で往復して回転運動する。
【００３３】
作動軸２０８とレバー２２２は、固定ピン２２６によって結合される。固定ピン２２６は、縦方向に形成された連結部２２６ａの一側面に係止突起２２６ｂとピン２２６ｃが突出された形態を有する。一般的には、係止突起２２６ｂとピン２２６ｃが連結部２２６ａの一方の面に同時に形成されるが、別の構成であってもよい。
【００３４】
係止突起２２６ｂとピン２２６ｃは、レバー２２２の一側に形成された係止溝２２２ａとピン貫通孔２２２ｂにそれぞれ挿入される。係止突起２２６ｂの端部分に形成された段差は、係止溝２２２ａの内部縁に掛かって、固定ピン２２６がレバー２２２から容易に分離されないようにする。
【００３５】
ピン２２６ｃはレバー２２２のボディを貫通し、レバー２２２のボディ内部には、作動軸２０８の上端が一定高さ分、挿入される。ピン２２６ｃは、レバー２２２のボディ内部に入っている作動軸２０８の挿入溝２１２を貫いて嵌め込まれる。挿入溝２１２とピン２２６ｃは、それぞれの内径と外径がほぼ同じくなるようにし、断面の模様が円形になるようにすることで、左右に搖れずに回転運動できるようにすることが好ましい。
【００３６】
図７に図示されたように、固定ピン２２６によって作動軸２０８がレバー２２２に堅固に固定される。
【００３７】
図８は、安全ボタンとレバーの結合関係を示した断面図で、図９は、安全ボタンを押さずにレバーを押した時の動作を示した断面図で、図１０は、安全ボタンを押しながらレバーを押した時の動作を示した断面図で、図１１は、レバーの左右動作を示した正面図である。
【００３８】
安全ボタン２１８は、安全ボタンスプリング２２４の弾性力によってレバー２２２及び作動軸２０８から最も離れた位置まで移動した状態を保つ。この状態では、キャップ接触部２１８ａが上部キャップ２１６の外側に位置するので、安全ボタン２１８の端部分を下方に押しても、支点が形成されないため、作動軸２０８が上方に動かない（図９参照）。
【００３９】
しかし、安全ボタン２１８を後方へ押してレバー２２２方向に移動させた後、安全ボタン２１８を下方に押せば、キャップ接触部２１８ａが上部キャップ２１６の内側に位置しながら支点が形成される。レバー２２２は、固定ピン２２６のピン２２６ｃを中心にして回転し、てこ作用によって作動軸２０８が上方に上がる。これによって、パッキング２０６が一緒に上がって温水が排出される。
【００４０】
また、固定ピン２２６に突出形成されたピン２２６ｃが作動軸２０８を貫いた状態でレバー２２２のボディに固定されるため二重結合構造を有するようになり、安全ボタン２１８またはレバー２２２が作動軸２０８に対して左右方向に搖れたりひずまなくなる。
【００４１】
そして、図１２は、レバーを上に上げた時の動作を示した断面図である。
【００４２】
図１２に図示されたように、安全ボタン２１８を押さない状態でレバー２２２を持ち上げる場合は、レバー２２２の後面部の壁が作動軸２０８の上部と接するようになる。これにより、レバー２２２が上方へ回転しなくなり、レバー２２２の後面部と上部キャップ２１６の間が接触されない。結局、てこの作用点が生じないので、作動軸２０８が上がらないし、温水も排出されない。
【００４３】
また、レバー２２２の下端と上部キャップ２１６の上面の間には、一定の大きさの安全距離が形成される。安全距離は、レバー２２２と上部キャップ２１６が接触しないようにする空間を意味するが、安全距離の存在によってレバー２２２を左右に揺すってもレバー２２２が上部キャップ２１６と相変らず離隔された状態を維持する。したがって、レバー２２２を揺すったりねじても作動軸２０８が引かれないので、温水が排出される事故を防ぐことができる。
【００４４】
レバー２２２の下端と上部キャップ２１６の上面の間の安全距離は、レバー２２２の後面部の長さ（作動軸２０８の中心軸と後面部の端部分の間の距離）より大きい。これによって、レバー２２２を上に持ち上げた時、レバー２２２の後面部が回転しながら作動軸２０８の上端と接触するだけであって、上部キャップ２１６の上面とは接することはない。
【００４５】
以上、添付の図面を参照して本発明の好ましい実施例を説明したが、上述した本発明の技術的構成は、本発明が属する技術分野の当業者が本発明の技術的思想や必須的特徴を変更せずとも別の具体的形態で実施されてもよいことを理解することができる。よって、上述した実施例は、全ての面で例示的なものであり、限定的ではないものとして理解しなければならないし、本発明の範囲は、前記詳細な説明よりは後述する特許請求範囲によって示され、特許請求範囲の意味及び範囲、そしてその等価概念から想到される全ての変更または変形された形態が本発明の範囲に含まれるものとして解釈されなければならない。
【図１】
2019515213.tif 000003
【図２】
2019515213.tif 000004
【図３】
2019515213.tif 000005
【図４】
2019515213.tif 000006
【図５】
2019515213.tif 000007
【図６】
2019515213.tif 000008
【図７】
2019515213.tif 000009
【図８】
2019515213.tif 000010
【図９】
2019515213.tif 000011
【図１０】
2019515213.tif 000012
【図１１】
2019515213.tif 000013
【図１２】
2019515213.tif 000014
【国際調査報告】
2019515213.tif 000015
2019515213.tif 000016
2019515213.tif 000017
2019515213.tif 000018